(57)【要約】    【課題】単一の操作部で共有化させたリセットボタンを使用して、操作間違いによる誤ったマイクロコンピュータの録画メモリに予め録画されていた録画データの消去および設定メモリに予め記憶されていた設定データの初期値への書き換えの発生を容易に防止する。    【解決手段】室内親機２ａ、２ｂのマイクロコンピュータ２００を初期化させるための操作部と、マイクロコンピュータの録画メモリ２１０に予め録画されていた録画データを消去するとともに設定メモリ２１１に予め記憶されていた設定データを初期値に書き換えるための操作部とを単一のリセットボタン２０１を使用して共有化させることができ、このリセットボタンを使用した異なる押下時間は、マイクロコンピュータのソフトウェアまたは当該マイクロコンピュータとは別途のハードウェアであるリセット時間計測回路２０７にて検出する。    【選択図】  図２
2005102089.tif 000002
【特許請求の範囲】
【請求項１】
玄関に設置されたカメラ（１１）を有する玄関子機（１）から住戸内に設置されたモニタ（２１）を有する室内親機（２）を呼び出し、前記玄関子機の前記カメラにて撮像された来訪者の映像を前記室内親機の録画メモリ（２１０）に自動録画し、前記玄関子機および前記室内親機の間で前記映像を前記モニタに出画しながら通話を行うテレビインターホン装置であって、
前記室内親機には、前記室内親機を制御するためのマイクロコンピュータ（２００）と、前記マイクロコンピュータを初期化させるためのリセットボタン（２０１）とを備え、
前記マイクロコンピュータには、前記室内親機の前記リセットボタンを一定時間以内に押下してリセット信号が入力されることにより、前記マイクロコンピュータの初期化を実行させるためのリセット端子（Ｔ200a）と、前記室内親機の前記リセットボタンを一定時間超えて押下し続けてデータ消去信号が入力されることにより、前記録画メモリに録画された録画データを消去させるためのデータ消去端子（Ｔ200b）とを備えたことを特徴とするテレビインターホン装置。
【請求項２】
前記マイクロコンピュータは、ユーザーによって変更可能である録画タイミング、録画枚数等の設定データを予め記憶するための設定メモリ（２１１）を有し、前記データ消去信号が前記データ消去端子に入力された場合に、前記録画データの消去とともに前記設定データを初期値に書き換えることを特徴とする請求項１記載のテレビインターホン装置。
【請求項３】
前記データ消去端子への信号は前記リセットボタンが押下されると直ちに入力され、前記リセットボタンの押下時間は、前記マイクロコンピュータが計測することを特徴とする請求項１または請求項２記載のテレビインターホン装置。
【請求項４】
前記室内親機に、前記リセットボタンの押下時間が一定の閾値を超えた場合にのみ前記データ消去端子への信号を送出するためのリセット時間計測回路（２０７）を備えたことを特徴とする請求項１または請求項２記載のテレビインターホン装置。
【発明の詳細な説明】
【技術分野】
【０００１】
本発明はテレビインターホン装置に係り、特に、単一の操作部を使用して異なる機能を能動とすることができるテレビインターホン装置に関する。
【背景技術】
【０００２】
従来から、この種のテレビインターホン装置として、図３の回路ブロック図に示す構成のテレビインターホン装置が提案されている。
【０００３】
同図に示す従来例のテレビインターホン装置において、室内親機５２のユーザー、例えば、室内親機５２が設置された住戸内に在室中の居住者がリセットボタン５０１を押下すると、直流電源Ｖ500からバイアス抵抗５０４、当該リセットボタンのメイク接点、コモン接点を介して基準電位点までの電源供給ラインが形成され、第１の接続点Ｐ501の電位が降下（以下、電圧降下とする。）し、この電圧降下に伴い（電圧レベルが）Ｌ（Low）レベルのリセット信号がマイクロコンピュータ５００のリセット端子Ｔ500aへと出力される。マイクロコンピュータ５００は、リセット信号が入力されたリセット端子Ｔ500aの電圧レベルがＨ（High）レベルからＬレベルへとレベル変化したことに基づいて上述のユーザーによるリセット操作を検出し、当該マイクロコンピュータの初期化を実行する。
【０００４】
また、上述のユーザーが室内親機５２のデータ消去ボタン５０２を押下すると、直流電源Ｖ500からバイアス抵抗５０５、当該データ消去ボタンのメイク接点、コモン接点を介して基準電位点までの電源供給ラインが形成され、第２の接続点Ｐ502の電位が電圧降下し、この電圧降下に伴い（電圧レベルが）Ｌレベルのデータ消去信号がマイクロコンピュータ５００のデータ消去端子Ｔ500bへと出力される。マイクロコンピュータ５００は、データ消去信号が入力されたデータ消去端子Ｔ500bの電圧レベルがＨレベルからＬレベルへとレベル変化したことに基づいて上述のユーザーによるデータ消去操作を検出し、録画メモリ５１０に予め録画されていた録画データ、例えば、玄関子機５１のカメラ（図示せず）にて撮像された映像であり予め自動録画されていた録画データを消去するとともに、設定メモリ５１１に予め記憶されていた設定データ、例えば、録画メモリ５１０の録画タイミング、録画枚数等の設定データを初期値に書き換える（例えば、特許文献１を参照）。
【０００５】
【特許文献１】特開２００２−２７１７８１号公報
【発明の開示】
【発明が解決しようとする課題】
【０００６】
しかしながら、従来例のテレビインターホン装置において、図３の回路ブロック図に示す室内親機５２のマイクロコンピュータ５００を初期化させるための操作部と、マイクロコンピュータ５００の録画メモリ５１０に予め録画されていた録画データを消去するとともに設定メモリ５１１に予め記憶されていた設定データを初期値に書き換えるための操作部とは、別個の操作ボタン、すなわち、リセットボタン５０１、データ消去ボタン２０２の２種の操作ボタンが必要とされ、当該ボタンの操作間違いにより誤って映像データを消去、設定データを初期値へと書き換えてしまう虞があった。
【０００７】
本発明は、上述の難点を解消するためになされたもので、単一の操作部で共有化させたリセットボタンを使用して、操作間違いによる誤ったマイクロコンピュータの録画メモリに予め録画されていた録画データの消去および設定メモリに予め記憶されていた設定データの初期値への書き換えの発生を容易に防止することができるテレビインターホン装置を提供することを目的としている。
【課題を解決するための手段】
【０００８】
上述の目的を達成するため、本発明の第１の態様であるテレビインターホン装置は、玄関に設置されたカメラを有する玄関子機から住戸内に設置されたモニタを有する室内親機を呼び出し、玄関子機のカメラにて撮像された来訪者の映像を室内親機の録画メモリに自動録画し、玄関子機および室内親機の間で映像をモニタに出画しながら通話を行う当該装置である。室内親機には、室内親機を制御するためのマイクロコンピュータと、マイクロコンピュータの初期化させるためのリセットボタンとを備えている。マイクロコンピュータには、室内親機のリセットボタンを一定時間以内に押下してリセット信号が入力されることにより、マイクロコンピュータの初期化を実行させるためのリセット端子と、室内親機のリセットボタンを一定時間を超えて押下し続けてデータ消去信号が入力されることにより、録画メモリに予め録画されていた録画データを消去させるためのデータ消去端子とを備えている。
【０００９】
また、本発明の第２の態様は本発明の第１の態様のテレビインターホン装置において、マイクロコンピュータは、ユーザーによって変更可能である録画タイミング、録画枚数等の設定データを予め記憶するための設定メモリを有し、データ消去信号がデータ消去端子に入力された場合に、録画データの消去とともに設定データを初期値に書き換えるものである。
【００１０】
また、本発明の第３の態様は本発明の第１または第２の態様のテレビインターホン装置において、データ消去端子への信号はリセットボタンが押下されると直ちに入力され、リセットボタンの押下時間は、マイクロコンピュータが計測するものである。
【００１１】
また、本発明の第４の態様は本発明の第１または第２の態様のテレビインターホン装置において、室内親機に、リセットボタンの押下時間が一定の閾値を超えた場合にのみ前記データ消去端子への信号を送出するためのリセット時間計測回路を備えている。
【発明の効果】
【００１２】
本発明のテレビインターホン装置によれば、室内親機のマイクロコンピュータを初期化させるための操作部と、マイクロコンピュータの録画メモリに予め録画されていた録画データを消去するとともに設定メモリに予め記憶されていた設定データを初期値に書き換えるための操作部とを単一のリセットボタンを使用して共有化させることができ、このリセットボタンを使用した異なる押下時間は、マイクロコンピュータのソフトウェアまたは当該マイクロコンピュータとは別途のハードウェアであるリセット時間計測回路にて検出することができる。
【発明を実施するための最良の形態】
【００１３】
以下、本発明のテレビインターホン装置を適用した最良の実施の形態例について、図面を参照して説明する。
【００１４】
図１は、本発明の実施例によるテレビインターホン装置を示すシステム構成図である。
【００１５】
図１のシステム構成図に示すテレビインターホン装置は、玄関に設置され、来訪者が住戸内に在室中の居住者を呼び出すために押下する呼出ボタン１０、呼出操作を行った来訪者の映像（玄関および当該玄関の周囲近傍の映像を含む）を撮像するためのカメラ１１、来訪者が居住者との間で通話を行うための音声を送受信するマイク（以下、子機マイクという。）１２およびスピーカ（以下、子機スピーカという。）１３を有する玄関子機１と、住戸内に設置され、伝送線路Ｌ1を介して接続された玄関子機１からの呼び出し、すなわち、来訪者による呼び出しがあることを示す呼出音を放音させるためのスピーカ（以下、親機スピーカという。）２０、玄関子機１のカメラ１１にて撮像された映像を出画するためのＬＣＤ（Liquid Crystal Display）、有機ＥＬ（Electro Luminescence）等のモニタ２１、居住者が来訪者との間で通話を行うための音声を送受信するマイク（図示せず）およびレシーバ（図示せず）を備えたハンドセット２２を有する室内親機２ａ、２ｂとから構成されており、以下、室内親機２ａを当該室内親機の第１の構成例、室内親機２ｂを当該室内親機の第２の構成例という。
【００１６】
図２（ａ）は、本発明の実施例によるテレビインターホン装置において、第１の構成例としての室内親機２ａを示す回路ブロック図である。
【００１７】
図２（ａ）の回路ブロック図に示す室内親機２ａには、当該室内親機の構成各部を制御するためのマイクロコンピュータ２００と、当該室内親機のユーザー、例えば、住戸内に在室中の居住者により押下され、マイクロコンピュータ２００を初期化させるための操作部および当該マイクロコンピュータの後述する録画メモリ２１０に予め録画されていた録画データを消去するとともに後述する設定メモリ２１１に予め記憶されていた設定データを初期値に書き換えるための操作部を構成するリセットボタン２０１と、直流電源Ｖ0からの電源供給が遮断された異常時においてマイクロコンピュータ２００を初期化させるためのリセット信号を出力（生成出力）するリセットＩＣ２０２と、直流電源Ｖ0を分圧させてリセットボタン２０１へと供給するためのバイアス抵抗（以下、第１のバイアス抵抗という。）２０３と、リセットボタン２０１のメイク接点が閉成されていない状態において第１のバイアス抵抗２０３を介して分圧された電源を蓄電するためのコンデンサ２０４と、直流電源Ｖ0からの電源供給によりリセットＩＣ２０２、コンデンサ２０４の充放電時に後述する第１の接続点Ｐ1の電圧レベルが直流電源Ｖ0の電圧レベルよりも高くなることを防止するための逆流防止ダイオード２０５と、直流電源Ｖ0を分圧させてマイクロコンピュータ２００の後述するリセット端子Ｔ200aへと供給するためのバイアス抵抗（以下、第２のバイアス抵抗という。）２０６とが備えられており、以下、マイクロコンピュータ２００のリセット端子Ｔ200aおよびリセットＩＣ２０２の間の結線ラインとコンデンサ２０４および逆流防止ダイオード２０５のアノードの間の結線ラインとの接続点を第１の接続点Ｐ1、マイクロコンピュータ２００の後述するデータ消去端子Ｔ200bとリセットボタン２０１および第１のバイアス抵抗２０３の間の結線ラインとの接続点を第２の接続点Ｐ2という。
【００１８】
また、図２（ｂ）は、本発明の実施例によるテレビインターホン装置において、第２の構成例としての室内親機２ｂを示す回路ブロック図である。
【００１９】
図２（ｂ）の回路ブロック図に示す室内親機２ｂには、上述の室内親機２ａを構成するマイクロコンピュータ２００、リセットボタン２０１、リセットＩＣ２０２、第１のバイアス抵抗２０３、コンデンサ２０４、逆流防止ダイオード２０５、第２のバイアス抵抗２０６と、上述のユーザーがリセットボタン２０１を一定時間を超えて押下し続けるにあたり、この押下時間を計測するための回路として、マイクロコンピュータ２００のソフトウェア（図示せず）とは別途のハードウェアとして行うためのタイマＩＣから構成される専用ＩＣ、ＣＲ回路等のリセット時間計測回路２０７とが備えられており、このリセット時間計測回路２０７は、上述のマイクロコンピュータ２００のデータ消去端子Ｔ200bと第２の接続点Ｐ2との間に介在される。
【００２０】
図２（ａ）、（ｂ）の各回路ブロック図に示す室内親機２ａ、２ｂにおいて、マイクロコンピュータ２００には、図１のシステム構成図に示す玄関子機１のカメラ１１にて撮像された映像等を録画データとして録画（自動録画）するための録画メモリ２１０と、上述のユーザーにより変更可能である録画メモリ２１０の録画タイミング、録画枚数等の設定データを予め記憶するための設定メモリ２１１と、上述のリセット信号が入力され、当該マイクロコンピュータの初期化を実行するためのリセット端子Ｔ200aと、当該マイクロコンピュータのソフトウェア（図示せず）またはリセット時間計測回路２０７にて計時される一定時間を超えたリセットボタン２０１の押下によるデータ消去信号が入力され、録画メモリ２１０に予め録画されていた録画データを消去するとともに設定メモリ２１１に予め記憶されていた設定データを初期値に書き換えるためのデータ消去端子Ｔ200bとが備えられている。
【００２１】
なお、本発明の実施例によるテレビインターホン装置において、図２（ａ）、（ｂ）の各回路ブロック図に示す室内親機２ａ、２ｂには、上述の構成各部の他、図１のシステム構成図に示す親機スピーカ２０、モニタ２１、ハンドセット２２も含まれる（図示せず）。
【００２２】
このように構成された本発明の実施例によるテレビインターホン装置において、以下、具体的な動作について説明する。
【００２３】
図１のシステム構成図において、玄関に居る来訪者が住戸内に在室中の居住者を呼び出すために玄関子機１の呼出ボタン１０を押下すると、伝送線路Ｌ1を介して室内親機２ａ、２ｂへと呼出信号が伝送される。
【００２４】
また、室内親機２ａ、２ｂは、図２（ａ）、（ｂ）の各回路ブロック図に示すマイクロコンピュータ２００の制御により、玄関子機１からの呼出信号を信号処理して来訪者からの呼び出しがある旨の呼出音を図１のシステム構成図に示す親機スピーカ２０から放音させるとともに、玄関子機１のカメラ１１を駆動させるための動作電源を伝送線路Ｌ1を介して当該玄関子機へと供給する。
【００２５】
また、図１のシステム構成図において、玄関子機１のカメラ１１は、室内親機２ａ、２ｂからの電源供給により駆動され、来訪者の映像（玄関および当該玄関の周囲近傍の映像を含む）の撮像を開始する。カメラ１１にて撮像された映像であり信号処理された映像信号は、伝送線路Ｌ1を介して室内親機２ａ、２ｂへと伝送されモニタ２１に出画されるとともに、図２（ａ）、（ｂ）の各回路ブロック図に示すマイクロコンピュータ２００の制御により録画メモリ２１０に自動録画される。
【００２６】
なお、図２（ａ）、（ｂ）の各回路ブロック図に示す室内親機２ａ、２ｂにおいて、マイクロコンピュータ２００の録画メモリ２１０への録画データの自動録画は、設定メモリ２１１に予め記憶されている録画タイミング、録画枚数等の設定データに基づいて行われる。
【００２７】
さらに、図１のシステム構成図において、室内親機２ａ、２ｂの親機スピーカ２０からの呼出音の放音およびモニタ２１に出画された映像に基づいて、来訪者からの呼び出しがあることを当該来訪者の判別と併せて確認できた居住者がハンドセット２２を取り上げて応答すると、居住者が使用するハンドセット２２のマイク（図示せず）およびレシーバ（図示せず）と伝送線路Ｌ1を介して来訪者が使用する玄関子機１の子機マイク１２および子機スピーカ１３との間の通話ラインが形成され、形成された通話ラインを介して音声信号を送受信させることにより通話を行うことができ、特に、居住者にとっては、来訪者の映像を確認しながら通話を行うことができる。
【００２８】
次に、図２（ａ）の回路ブロック図に示す（第１の構成例としての）室内親機２ａを適用するにあたり、マイクロコンピュータ２００の録画メモリ２１０に予め録画されていた録画データを消去するために、当該室内親機のユーザーである居住者がリセットボタン２０１を押下すると、直流電源Ｖ0から第１のバイアス抵抗２０３、当該リセットボタンのメイク接点、コモン接点を介して基準電位点までの電源供給ラインが形成され、当該リセットボタンの非押下時に直流電源Ｖ0から第１のバイアス抵抗２０３を介してコンデンサ２０４に蓄電されている電源が放電されて第１の接続点Ｐ1の電位が電圧降下し、この電圧降下に伴い（電圧レベルが）Ｌレベルのリセット信号がマイクロコンピュータ２００のリセット端子Ｔ200aへと出力されるとともに、第２の接続点Ｐ2の電位が電圧降下し、この電圧降下に伴い（電圧レベルが）Ｌレベルのデータ消去信号がマイクロコンピュータ２００のデータ消去端子Ｔ200bへと出力される。マイクロコンピュータ２００は、リセット信号が入力されたリセット端子Ｔ200aおよびデータ消去信号が入力されたデータ消去端子Ｔ200bのうち、リセット信号が入力されたリセット端子Ｔ200aの電圧レベルがＨレベルからＬレベルへとレベル変化したことに基づいて上述のユーザーによるリセット操作を検出し初期化を実行するとともに、一定時間の計時をソフトウェア（図示せず）を利用して開始し、計時中の一定時間を超えたリセットボタン２０１の押下の有無、すなわち、データ消去信号の入力の有無を監視する。
【００２９】
ここで、図２（ａ）の回路ブロック図に示す室内親機２ａのマイクロコンピュータ２００のソフトウェア（図示せず）にて計時中の一定時間以内において、上述のユーザーによるリセットボタン２０１の押下が一定時間を超えずデータ消去信号の出力が停止され、データ消去端子Ｔ200bの電圧レベルがＬレベルからHレベルにレベル変化（復旧）すると、これを検出したマイクロコンピュータ２００は初期化が実行されるのみで、その他の動作は行わない。
【００３０】
一方、上述のユーザーが、図２（ａ）の回路ブロック図に示す室内親機２ａのマイクロコンピュータ２００のソフトウェア（図示せず）にて計時中の一定時間を超えてリセットボタン２０１を押下し続けると、マイクロコンピュータ２００は、一定時間を超えてデータ消去端子Ｔ200bの電圧レベルがＨレベルからＬレベルへとレベル変化していることに基づいて上述のユーザーによるデータ消去操作を検出し初期化を実行するとともに、録画メモリ２１０に予め録画されていた録画データを消去し、設定メモリ２１１に予め記憶されていた設定データである録画メモリ２１０の録画タイミング、録画枚数等の設定データを初期値に書き換える。
【００３１】
次に、図２（ｂ）の回路ブロック図に示す（第２の構成例としての）室内親機２ｂを適用するにあたり、マイクロコンピュータ２００の録画メモリ２１０に予め録画されていた録画データを消去するために、当該室内親機のユーザーである居住者がリセットボタン２０１を押下すると、上述の（第１の構成例としての）室内親機２ａを適用した場合と同様、直流電源Ｖ0から第１のバイアス抵抗２０３、当該リセットボタンのメイク接点、コモン接点を介して基準電位点までの電源供給ラインが形成され、当該リセットボタンの非押下時に直流電源Ｖ0から第１のバイアス抵抗２０３を介してコンデンサ２０４に蓄電されている電源が放電されて第１の接続点Ｐ1の電位が電圧降下し、この電圧降下に伴い（電圧レベルが）Ｌレベルのリセット信号がマイクロコンピュータ２００のリセット端子Ｔ200aへと出力されるとともに、第２の接続点Ｐ2の電位が電圧降下し、この電圧降下を検出したリセット時間計測回路２０７は、当該リセットボタンの押下時間の計時を開始する。マイクロコンピュータ２００は、リセット信号が入力されたリセット端子Ｔ200aの電圧レベルがＨレベルからＬレベルへとレベル変化したことに基づいて上述のユーザーによるリセット操作を検出し初期化を実行する。
【００３２】
ここで、上述のユーザーによるリセットボタン２０１の押下が一定時間を超えず、リセット時間計測回路２０７からデータ消去端子Ｔ200bへのデータ消去信号の入力がないと、データ消去端子Ｔ200bの電圧レベルがHレベルのまま保持されることにより、これを検出したマイクロコンピュータ２００は初期化が実行されるのみで、その他の動作は行わない。
【００３３】
一方、上述のユーザーが、図２（ｂ）の回路ブロック図に示す室内親機２ｂのマイクロコンピュータ２００にて計時中の一定時間を超えてリセットボタン２０１を押下し続けると、第２の接続点Ｐ2の電圧降下が閾値である一定時間を超えたと判断したリセット時間計測回路２０７は、データ消去信号をマイクロコンピュータ２００のデータ消去端子Ｔ200bへと出力する。マイクロコンピュータ２００は、データ消去端子Ｔ200bの電圧レベルがＨレベルからＬレベルへとレベル変化していることに基づいて上述のユーザーによるデータ消去操作を検出し初期化を実行するとともに、録画メモリ２１０に予め録画されていた録画データを消去し、設定メモリ２１１に予め記憶されていた設定データである録画メモリ２１０の録画タイミング、録画枚数等の設定データを初期値に書き換える。
【００３４】
次に、図２（ａ）、（ｂ）の各回路ブロック図に示す（第１、第２の各実施例としての）室内親機２ａ、２ｂを適用するにあたり、直流電源Ｖ0からの電源供給が遮断されると、これを検出したリセットＩＣ２０２からマイクロコンピュータ２００のリセット端子Ｔ200aへと（電圧レベルが）Ｌレベルのリセット信号が出力される。マイクロコンピュータ２００は、リセット信号が入力されたリセット端子Ｔ200aの電圧レベルがＨレベルからＬレベルへとレベル変化したことを検出すると、当該マイクロコンピュータの初期化を実行する。
【００３５】
本発明の実施例によるテレビインターホン装置によれば、図２（ａ）、（ｂ）の各回路図に示すように、室内親機２ａ、２ｂのマイクロコンピュータ２００の初期化させるための操作部と、マイクロコンピュータ２００の録画メモリ２１０に予め録画されていた録画データを消去するとともに設定メモリ２１１に予め記憶されていた設定データを初期値に書き換えるための操作部とを単一のリセットボタン２０１を使用して共有化させることができ、リセットボタン２０１を使用した異なる押下時間を、マイクロコンピュータ２００のソフトウェアまたは当該マイクロコンピュータとは別途のハードウェアであるリセット時間計測回路２０７にて検出することができる。
【００３６】
なお、本発明の実施例によるテレビインターホン装置においては、図２（ａ）、（ｂ）の各回路ブロック図に示す室内親機２ａ、２ｂを適用するにあたり、録画メモリ２１０をマイクロコンピュータ２００に備えた（内蔵させた）場合について説明したが、これに限定されず、録画メモリ２１０をマイクロコンピュータ２００とは別途に当該室内親機に備え、マイクロコンピュータ２００により制御させることもでき好適とされる。
【００３７】
また、本発明の実施例によるテレビインターホン装置においては、図２（ａ）、（ｂ）の各回路ブロック図に示す室内親機２ａ、２ｂを適用するにあたり、録画メモリ２１０に予め録画されていた録画データを消去し、設定メモリ２１１に予め記憶されていた設定データである録画メモリ２１０の録画タイミング、録画枚数等の設定データを初期値に書き換える場合に常に初期化を実行していたが、これに限定されず、マイクロコンピュータ２００は、一定時間を超えてデータ消去端子Ｔ200bの電圧レベルがＨレベルからＬレベルへとレベル変化していることに基づいて上述のユーザーによるデータ消去操作を検出し、初期化を実行せずに録画メモリ２１０に予め録画されていた録画データを消去し、設定メモリ２１１に予め記憶されていた設定データである録画メモリ２１０の録画タイミング、録画枚数等の設定データを初期値に書き換える当該室内親機も好適とされる。この場合は、上述のユーザーによるリセットボタン２０１の押下が一定時間を超えずにデータ消去信号の出力が停止され、データ消去端子Ｔ200bの電圧レベルがＬレベルからHレベルにレベル変化（復旧）すると、これを検出したマイクロコンピュータ２００は初期化が実行される。
【００３８】
また、本発明の実施例によるテレビインターホン装置においては、図２（ｂ）の回路ブロック図に示す室内親機２ｂを適用するにあたり、リセット時間計測回路２０７をリセットＩＣ２０２とは別途に備えたが、リセット時間計測回路２０７をリセットＩＣ２０２に内蔵させた当該室内親機も好適とされる。
【００３９】
さらに、本発明の実施例によるテレビインターホン装置においては、室内親機２の通話部として居住者が来訪者との間で通話を行うために使用するハンドセット２２にて構成されるハンドセット通話部を適用させたが、当該通話部はこれに限定されず、親機スピーカ２０にて呼出音のみならず来訪者からの音声（受話音声）を放音させ、居住者の音声を送信させる親機マイクを別途設け、居住者が来訪者との間で拡声通話を行う拡声通話部も好適とされる。
【図面の簡単な説明】
【００４０】
【図１】図１は、本発明の実施例によるテレビインターホン装置を示すシステム構成図である。
【図２】本発明の実施例によるテレビインターホン装置において、図２（ａ）は、第１の構成例としての室内親機を示す回路ブロック図であり、図２（ｂ）は、第２の構成例としての室内親機を示す回路ブロック図である。
【図３】従来例のテレビインターホン装置において、室内親機の構成を示す回路ブロック図である。
【符号の説明】
【００４１】
１……玄関子機
１１……カメラ
２ａ、２ｂ……室内親機
２１……モニタ
２００……マイクロコンピュータ
２１０……録画メモリ
２１１……設定メモリ
Ｔ200a……リセット端子
Ｔ200b……データ消去端子
２０１……リセットボタン
２０７……リセット時間計測回路
【図１】
2005102089.tif 000003
【図２】
2005102089.tif 000004
【図３】
2005102089.tif 000005